(57)【要約】【課題】簡単な構成で負荷電流のバラツキの影響を受けることなく定電圧を供給可能な電源供給装置を提供することである。【解決手段】電源供給装置において、電源と、前記電源による電圧を入力し定電圧を出力するレギュレータと、前記レギュレータの出力端子と外部への出力端子との間に設けられた負荷と、前記負荷と前記外部への出力端子との間の接点の電圧に基づいた値を前記レギュレータにフィードバックするフィードバック回路と、を有し、前記レギュレータは前記フィードバック回路によってフィードバックされた値が一定となるように動作する、ことを特徴とする。【選択図】図１
2018049404.tif 000002
【特許請求の範囲】
【請求項１】
電源と、
前記電源による電圧を入力し定電圧を出力するレギュレータと、
前記レギュレータの出力端子と外部への出力端子との間に設けられた負荷と、
前記負荷と前記外部への出力端子との間の接点の電圧に基づいた値を前記レギュレータにフィードバックするフィードバック回路と、
を有し、
前記レギュレータは前記フィードバック回路によってフィードバックされた値が一定となるように動作する、
ことを特徴とする電源供給装置。
【請求項２】
請求項１に記載の電源供給装置において、
前記負荷が低抵抗器であって、
前記低抵抗器による電圧降下を検出する電圧検出回路をさらに有する、
ことを特徴とする電源供給装置。
【請求項３】
請求項１に記載の電源供給装置において、
前記負荷が、前記レギュレータの出力端子を天絡から保護する保護素子である、
ことを特徴とする電源供給装置。
【発明の詳細な説明】
【技術分野】
【０００１】
本発明は、電源供給装置に関し、特に、例えばＧＰＳ（Ｇｌｏｂａｌ  Ｐｏｓｉｔｉｏｎｉｎｇ  Ｓｙｓｔｅｍ）機能を有する車載ユニットのアンテナに電源供給する電源供給装置に関する。
【背景技術】
【０００２】
最近の自動車では、様々な電気的負荷を搭載しており、この負荷を駆動する電源を必要としている。このような電源に係る従来技術として以下のものが知られている。
【０００３】
特開２００１−３２５０３０号公報には、出力トランジスタの制御端子を所定電圧以下にクランプすることにより直流定電圧を出力する定電圧回路において、電源電圧低下時に出力トランジスタで生じる電圧降下の影響を受けることなく、高電圧を出力できるようにすることを目的とし、電源電圧が所定電圧以下であるときには、給電手段を介して、直流電源から外部負荷側に直接電流が供給され、そのときの出力電圧を略電源電圧にする、という発明が開示されている。
【０００４】
また、特開２０１４−２０６３８６号公報には、簡単な構成で断線検出が可能であり、制御電圧範囲の上限がバッテリ電圧まで使用される自動車用アクチュエータの制御回路等にも適用可能で、広範囲の負荷電流に対して安定した断線検出回路を提供することを目的とし、モニタケーブルに流れる電流を、基準電位を有した電流検出部で検出し、その検出電流値に基づいて、給電ケーブルおよびモニタケーブルの断線を検出する、という発明が開示されている。
【先行技術文献】
【特許文献】
【０００５】
【特許文献１】特開２００１−３２５０３０号公報
【特許文献２】特開２０１４−２０６３８６号公報
【発明の概要】
【発明が解決しようとする課題】
【０００６】
ところで、ＧＰＳ等の微弱電波による無線通信等を行う機能を有する車載ユニットにおいては、微弱電波をより確実に受信可能とすることを目的としてアンテナ直近にＬＮＡ（Ｌｏｗ  Ｎｏｉｓｅ  Ａｍｐｌｉｆｉｅｒ）を設ける場合がある。この場合、ＬＮＡの電源は車両の電源系から直接、もしくは車載ユニットから高周波信号線に重畳して供給されることになる。
【０００７】
無線電波はトンネル等に限らず、電波が届きにくい環境に移動した場合には受信できない場合がある。また、何かしらの要因でＬＮＡ内蔵ＧＰＳアンテナの故障、断線などが発生し受信した無線電波を車載ユニットに伝達できない場合もある。
【０００８】
ＬＮＡ内蔵ＧＰＳアンテナの非接続や故障（短絡）などを検出する方法として、高周波信号線に重畳したＬＮＡに供給する電源の電流を監視する方法が考えられ、電流を監視することで高周波信号線の断線や未接続、ＬＮＡの故障等による回路のショート等を検出することが可能となる。電流を監視する方法としては、電源供給ラインに直列に低抵抗値の抵抗器を設け、抵抗器を電流が流れることにより生じる電圧降下で監視する方法が考えられる。
【０００９】
しかしこの場合、ＬＮＡの消費電流の変化がそのまま低抵抗を通過する電流量の変化となり、電圧降下量に変化が生じることが考えられ、ＬＮＡへの供給電圧の変動につながることが考えられる。ＬＮＡ等の高周波回路は、供給される電源電圧の影響を受けやすく、変動の無い一定電圧の電力を継続的に供給することが必要なことから、ＬＮＡ自身の消費電流すなわち負荷電流のバラツキの影響も受けることなく、回路電流の監視が可能な電源供給装置の提供が求められる。
【００１０】
これに対して、特開２００１−３２５０３０号公報や特開２０１４−２０６３８６号公報に記載の従来技術では、簡単な構成で負荷電流のバラツキの影響を受けることなく定電圧を供給可能な電源供給装置については考慮されていないものであった。
【００１１】
本発明は、簡単な構成で負荷電流のバラツキの影響を受けることなく定電圧を供給可能な電源供給装置を提供することを目的とする。
【課題を解決するための手段】
【００１２】
本発明は上記の目的を達成するために、電源供給装置において、電源と、前記電源による電圧を入力し定電圧を出力するレギュレータと、前記レギュレータの出力端子と外部への出力端子との間に設けられた負荷と、前記負荷と前記外部への出力端子との間の接点の電圧に基づいた値を前記レギュレータにフィードバックするフィードバック回路と、を有し、前記レギュレータは前記フィードバック回路によってフィードバックされた値が一定となるように動作する、ことを特徴とする。
【発明の効果】
【００１３】
本発明によれば、簡単な構成で負荷電流のバラツキの影響を受けることなく定電圧を供給可能な電源供給装置を提供することができる。
【００１４】
上記した以外の課題、構成及び効果は、以下の実施形態の説明により明らかにされる。
【図面の簡単な説明】
【００１５】
【図１】本発明の実施例１に係る電源供給装置の構成を示すブロック図。
【図２】本発明の実施例２に係る電源供給装置の構成を示すブロック図。
【図３】本発明の参考例１に係る電源供給装置の構成を示すブロック図。
【図４】本発明の参考例２に係る電源供給装置の構成を示すブロック図。
【発明を実施するための形態】
【００１６】
以下、本発明の実施例について図面を用いて説明する。
【００１７】
本発明に係る電源供給装置によれば、ＬＮＡ内蔵ＧＰＳアンテナ等のように、ＬＮＡの消費電流の変動やバラツキ、電源供給装置のオープンや故障によるショート等、消費電流の変動要因となる負荷変動の影響による消費電流に変動や個体差があっても、出力電圧を一定に保つように電流検出用低抵抗器の電圧降下を補償するようにレギュレータが動作することにより、電流検出機能を有しながらも消費電流に左右されない電源電圧の供給が可能となる。
【００１８】
（参考例１）
図３は、本発明の参考例１に係る電源供給装置の構成を示すブロック図である。
【００１９】
この参考例１では、ＬＮＡ内蔵ＧＰＳアンテナ１０１に電源供給を行う電源供給装置１００について説明する。
【００２０】
ＬＮＡ内蔵ＧＰＳアンテナ１０１は、ＬＮＡ１１４を内蔵し、高周波接続端子である接続端子１１２を介して電源供給装置１００から電源供給を受ける。このとき、接続端子１１２は電源供給装置１００の接続端子１１１に接続される。
【００２１】
ＬＮＡ内蔵ＧＰＳアンテナ１０１に電源を供給する電源供給装置１００は、電源供給装置１００内に設けた電源１０２による電圧をレギュレーションする（例えば、一定の電圧を出力する）フィードバック型レギュレータ１０３と、出力端子１０６のレギュレータ出力電圧（Ｖｏ）を分圧する抵抗器（Ｒ１）１０４および抵抗器（Ｒ２）１０５と、出力電流すなわち供給電流１１３を監視するための負荷である低抵抗器（Ｒ３）１０８と、低抵抗器（Ｒ３）１０８による電圧降下を監視する電圧検出回路１０９と、ＬＮＡ内蔵ＧＰＳアンテナ１０１の接続端子１１２と接続されて電源を供給する接続端子１１１と、を有して構成される。また、抵抗器（Ｒ１）１０４および抵抗器（Ｒ２）１０５は、フィードバック型レギュレータ１０３に対するフィードバック系（フィードバック回路）を構成する。なお、フィードバック型レギュレータ１０３内のＯＣＰは、例えば、予め定めた電流値以上の電流を流さないように出力電流を制限する過電流保護回路（Ｏｖｅｒ  Ｃｕｒｒｅｎｔ  Ｐｒｏｔｅｃｔｉｏｎ）である。
【００２２】
この参考例１では、低抵抗器（Ｒ３）１０８による電圧降下を電圧検出回路１０９にて監視することで、ＬＡＮ内蔵ＧＰＳアンテナ１０１への供給電流１１３の監視が可能であり、供給電流１１３を監視することで、ＬＮＡ内蔵ＧＰＳアンテナ１０１の非接続、故障（短絡）等の監視が可能となる。
【００２３】
一方、レギュレータ出力電圧（Ｖｏ）は、低抵抗器（Ｒ３）１０８の前段の接点１１０ａにて抵抗器（Ｒ１）１０４および抵抗器（Ｒ２）１０５で分圧されてフィードバック入力（ＦＢ）１０７としてフィードバック型レギュレータ１０３にフィードバックされ、フィードバック型レギュレータ１０３では、このフィードバックされたレギュレータ出力電圧（Ｖｏ）が一定電圧となるようレギュレータ出力電圧（Ｖｏ）を制御（フィードバック制御）する。この構成では、供給電流１１３の変動に応じて低抵抗器（Ｒ３）１０８で降下する電圧が変動することにより供給電圧（Ｖｏ２）が安定しない虞がある。
【実施例１】
【００２４】
図１は、本発明の実施例１に係る電源供給装置の構成を示すブロック図である。
【００２５】
この実施例１では、ＬＮＡ内蔵ＧＰＳアンテナ１０１に電源供給を行う電源供給装置１００について説明する。
【００２６】
ＬＮＡ内蔵ＧＰＳアンテナ１０１は、ＬＮＡ１１４を内蔵し、高周波接続端子である接続端子１１２を介して電源供給装置１００から電源供給を受ける。このとき、接続端子１１２は電源供給装置１００の接続端子１１１に接続される。
【００２７】
ＬＮＡ内蔵ＧＰＳアンテナ１０１に電源を供給する電源供給装置１００は、電源供給装置１００内に設けた電源１０２による電圧をレギュレーションする（例えば、一定の電圧を出力する）フィードバック型レギュレータ１０３と、供給電圧（Ｖｏ２）を分圧する抵抗器（Ｒ１）１０４および抵抗器（Ｒ２）１０５と、出力電流すなわち供給電流１１３を監視するための負荷である低抵抗器（Ｒ３）１０８と、低抵抗器（Ｒ３）１０８による電圧降下を監視する電圧検出回路１０９と、ＬＮＡ内蔵ＧＰＳアンテナ１０１の接続端子１１２と接続されて電源を供給する接続端子１１１と、を有して構成される。また、抵抗器（Ｒ１）１０４、抵抗器（Ｒ２）１０５および低抵抗器（Ｒ３）１０８は、フィードバック型レギュレータ１０３に対するフィードバック系（フィードバック回路）を構成する。なお、フィードバック型レギュレータ１０３内のＯＣＰは、例えば、予め定めた電流値以上の電流を流さないように出力電流を制限する過電流保護回路（Ｏｖｅｒ  Ｃｕｒｒｅｎｔ  Ｐｒｏｔｅｃｔｉｏｎ）である。
【００２８】
この実施例１は、電流監視用の低抵抗器（Ｒ３）１０８をフィードバック型レギュレータ１０３の出力電圧フィードバック系に設ける構成である。この低抵抗器（Ｒ３）１０８による電圧降下を電圧検出回路１０９にて監視することで、ＬＡＮ内蔵ＧＰＳアンテナ１０１への供給電流１１３の監視が可能であり、供給電流１１３を監視することで、ＬＮＡ内蔵ＧＰＳアンテナ１０１の非接続、故障（短絡）等の監視が可能となる。
【００２９】
一方、ＬＮＡ内蔵ＧＰＳアンテナ１０１への供給電圧（Ｖｏ２）は、低抵抗器（Ｒ３）１０８の後段の接点１１０ｂにて抵抗器（Ｒ１）１０４および抵抗器（Ｒ２）１０５で分圧されてフィードバック入力（ＦＢ）１０７としてフィードバック型レギュレータ１０３にフィードバックされ、フィードバック型レギュレータ１０３では、このフィードバックされたフィードバック入力（ＦＢ）１０７（供給電圧（Ｖｏ２）を抵抗器（Ｒ１）１０４と抵抗器（Ｒ２）１０５で分圧した電圧値）が一定となるよう出力端子１０６のレギュレータ出力電圧（Ｖｏ）を制御（フィードバック制御）する。この構成により、電流検出用の低抵抗器（Ｒ３）１０８の電圧降下を補償した供給電流１１３に影響されない供給電圧（Ｖｏ２）をＬＮＡ内蔵ＧＰＳアンテナ１０１へ供給可能となる。なお、本実施例では、フィードバック型レギュレータ１０３にフィードバックされるフィードバック入力（ＦＢ）１０７は、供給電圧（Ｖｏ２）を抵抗器（Ｒ１）１０４と抵抗器（Ｒ２）１０５で分圧した電圧値であるが、本発明はこれに限られるものではなく、例えば、抵抗器（Ｒ１）１０４や抵抗器（Ｒ２）１０５に流れる電流値をフィードバック入力（ＦＢ）１０７としてもよい。
【００３０】
つまりこの実施例１の構成の場合、ＬＮＡ内蔵ＧＰＳアンテナ１０１への供給電圧（Ｖｏ２）すなわち電源供給装置１００の出力電圧が設定電圧（例えば５Ｖ）となるように、レギュレータ出力電圧（Ｖｏ）を制御することにより、供給電流１１３すなわち負荷電流（負荷であるＬＮＡ内蔵ＧＰＳアンテナ１０１に流れる電流）を監視するための低抵抗器（Ｒ３）１０８による電圧降下を補償した電源電圧供給をＬＮＡ内蔵ＧＰＳアンテナ１０１に対して行うことが可能となる。
【００３１】
（参考例２）
図４は、本発明の参考例２に係る電源供給装置の構成を示すブロック図である。
【００３２】
この参考例２では、天絡保護機能を有した外部装置１１５に電源供給を行う電源供給装置１００について説明する。
【００３３】
外部装置１１５は、負荷抵抗器（Ｒｘ）１１６を内蔵し、接続端子１１２を介して電源供給装置１００から電源供給を受ける。このとき、接続端子１１２は電源供給装置１００の接続端子１１１に接続される。
【００３４】
外部装置１１５に電源を供給する電源供給装置１００は、電源供給装置１００内に設けた電源１０２による電圧をレギュレーションする（例えば、一定の電圧を出力する）フィードバック型レギュレータ１０３と、供給電圧（Ｖｏ２）を分圧する抵抗器（Ｒ１）１０４および抵抗器（Ｒ２）１０５と、フィードバック型レギュレータ１０３の出力端子１０６を天絡から保護するための負荷である保護素子（例えば、ダイオード）１１７と、外部装置１１５の接続端子１１２と接続されて電源を供給する接続端子１１１と、を有して構成される。また、抵抗器（Ｒ１）１０４および抵抗器（Ｒ２）１０５は、フィードバック型レギュレータ１０３に対するフィードバック系（フィードバック回路）を構成する。保護素子１１７としては、ダイオードのほか、抵抗器やトランジスタやスイッチング素子などを用いることができる場合がある。なお、フィードバック型レギュレータ１０３内のＯＣＰは、例えば、予め定めた電流値以上の電流を流さないように出力電流を制限する過電流保護回路（Ｏｖｅｒ  Ｃｕｒｒｅｎｔ  Ｐｒｏｔｅｃｔｉｏｎ）である。
【００３５】
この参考例２では、保護素子１１７を設けることで、フィードバック型レギュレータ１０３の出力端子１０６を天絡から保護することが可能となるが、保護素子１１７を挿入すると保護素子１１７を通過する電流により変動する順方向電圧分の電圧降下が発生する。
【００３６】
レギュレータ出力電圧（Ｖｏ）は、保護素子１１７の前段の接点１１０ｃにて抵抗器（Ｒ１）１０４および抵抗器（Ｒ２）１０５で分圧されてフィードバック入力（ＦＢ）１０７としてフィードバック型レギュレータ１０３にフィードバックされ、フィードバック型レギュレータ１０３では、このフィードバックされたレギュレータ出力電圧（Ｖｏ）が一定電圧となるよう出力端子１０６のレギュレータ出力電圧（Ｖｏ）を制御（フィードバック制御）する。この構成では、供給電流１１３の変動に応じて保護素子１１７で降下する電圧が変動することにより供給電圧（Ｖｏ２）が安定しない虞がある。
【実施例２】
【００３７】
図２は、本発明の実施例２に係る電源供給装置の構成を示すブロック図である。
【００３８】
この実施例２では、天絡保護機能を有した外部装置１１５に電源供給を行う電源供給装置１００について説明する。
【００３９】
外部装置１１５は、負荷抵抗器（Ｒｘ）１１６を内蔵し、接続端子１１２を介して電源供給装置１００から電源供給を受ける。このとき、接続端子１１２は電源供給装置１００の接続端子１１１に接続される。
【００４０】
外部装置１１５に電源を供給する電源供給装置１００は、電源供給装置１００内に設けた電源１０２による電圧をレギュレーションする（例えば、一定の電圧を出力する）フィードバック型レギュレータ１０３と、供給電圧（Ｖｏ２）を分圧する抵抗器（Ｒ１）１０４および抵抗器（Ｒ２）１０５と、フィードバック型レギュレータ１０３の出力端子１０６を天絡から保護するための負荷である保護素子（例えば、ダイオード）１１７と、外部装置１１５の接続端子１１２と接続されて電源を供給する接続端子１１１と、を有して構成される。また、抵抗器（Ｒ１）１０４、抵抗器（Ｒ２）１０５および保護素子１１７は、フィードバック型レギュレータ１０３に対するフィードバック系（フィードバック回路）を構成する。保護素子１１７としては、ダイオードのほか、抵抗器やトランジスタやスイッチング素子などを用いることができる場合がある。なお、フィードバック型レギュレータ１０３内のＯＣＰは、例えば、予め定めた電流値以上の電流を流さないように出力電流を制限する過電流保護回路（Ｏｖｅｒ  Ｃｕｒｒｅｎｔ  Ｐｒｏｔｅｃｔｉｏｎ）である。
【００４１】
この実施例２では、保護素子１１７を設けることで、フィードバック型レギュレータ１０３の出力端子１０６を天絡から保護することが可能となるが、保護素子１１７を挿入すると保護素子１１７を通過する電流により変動する順方向電圧分の電圧降下が発生する。
【００４２】
外部装置１１５への供給電圧（Ｖｏ２）は、保護素子１１７の後段の接点１１０ｄにて抵抗器（Ｒ１）１０４および抵抗器（Ｒ２）１０５で分圧されてフィードバック入力（ＦＢ）１０７としてフィードバック型レギュレータ１０３にフィードバックされ、フィードバック型レギュレータ１０３では、このフィードバックされたフィードバック入力（ＦＢ）１０７（供給電圧（Ｖｏ２）を抵抗器（Ｒ１）１０４と抵抗器（Ｒ２）１０５で分圧した電圧値）が一定となるよう出力端子１０６のレギュレータ出力電圧（Ｖｏ）を制御（フィードバック制御）する。この構成により、保護素子１１７による順方向電圧降下に影響されない供給電圧（Ｖｏ２）を外部装置１１５へ供給可能となる。なお、本実施例では、フィードバック型レギュレータ１０３にフィードバックされるフィードバック入力（ＦＢ）１０７は、供給電圧（Ｖｏ２）を抵抗器（Ｒ１）１０４と抵抗器（Ｒ２）１０５で分圧した電圧値であるが、本発明はこれに限られるものではなく、例えば、抵抗器（Ｒ１）１０４や抵抗器（Ｒ２）１０５に流れる電流値をフィードバック入力（ＦＢ）１０７としてもよい。
【００４３】
つまりこの実施例２の構成の場合、外部装置１１５への供給電圧（Ｖｏ２）すなわち電源供給装置１００の出力電圧が設定電圧（例えば５Ｖ）となるように、レギュレータ出力電圧（Ｖｏ）を制御することにより、保護素子１１７による順方向電圧降下を補償した電源電圧供給を外部装置１１５に対して行うことが可能となる。
【００４４】
＜付記１＞
また、以上説明した本発明は以下の構成を備える場合がある。
【００４５】
１．
ユニット（例えば、電源供給装置１００）内の電源（例えば、電源１０２）からの電圧をレギュレーションする（例えば、一定の電圧を出力する）フィードバック型レギュレータ（例えば、フィードバック型レギュレータ１０３）において出力電圧を設定する抵抗器Ｒ１（例えば、抵抗器（Ｒ１）１０４）と抵抗器Ｒ２（例えば、抵抗器（Ｒ２）１０５）とから構成されるフィードバック系に出力電流を監視するための低抵抗器（例えば、低抵抗器（Ｒ３）１０８）を設けることを特徴とする電源供給装置。
【００４６】
また本発明は、
２．
ユニット（例えば、電源供給装置１００）内の電源（例えば、電源１０２）からの電圧をレギュレーションする（例えば、一定の電圧を出力する）フィードバック型レギュレータ（例えば、フィードバック型レギュレータ１０３）において出力電圧を設定する抵抗器Ｒ１（例えば、抵抗器（Ｒ１）１０４）と抵抗器Ｒ２（例えば、抵抗器（Ｒ２）１０５）とから構成されるフィードバック系に出力端子を天絡から保護するための保護素子（ダイオード）（例えば、保護素子１１７）を設けることを特徴とする電源供給装置。
【００４７】
＜付記２＞
また、以上説明した本発明は以下の構成を備える場合がある。
【００４８】
１．
電源（例えば、電源１０２）と、
前記電源による電圧を入力し定電圧を出力するレギュレータ（例えば、フィードバック型レギュレータ１０３）と、
前記レギュレータの出力端子（例えば、出力端子１０６）と外部への出力端子（例えば、接続端子１１１）との間に設けられた負荷（例えば、低抵抗器（Ｒ３）１０８、保護素子１１７）と、
前記負荷と前記外部への出力端子との間の接点（例えば、接点１１０ｂ、接点１１０ｄ）の電圧に基づいた値（例えば、供給電圧（Ｖｏ２）を抵抗器（Ｒ１）１０４と抵抗器（Ｒ２）１０５とで分圧した電圧）を前記レギュレータにフィードバックするフィードバック回路（例えば、低抵抗器（Ｒ３）１０８、抵抗器（Ｒ１）１０４および抵抗器（Ｒ２）１０５、保護素子１１７、抵抗器（Ｒ１）１０４および抵抗器（Ｒ２）１０５）と、
を有し、
前記レギュレータは前記フィードバック回路によってフィードバックされた電圧が一定となるように動作する、
ことを特徴とする電源供給装置、としたので、
・簡単な構成で負荷電流のバラツキの影響を受けることなく定電圧を供給可能な電源供給装置を提供することができる。
【００４９】
また本発明は、
２．
１．に記載の電源供給装置において、
前記負荷が低抵抗器（例えば、低抵抗器（Ｒ３）１０８）であって、
前記低抵抗器による電圧降下を検出する電圧検出回路（例えば、電圧検出回路１０９）をさらに有する、
ことを特徴とする電源供給装置、としたので、
・負荷電流の監視が可能であり、且つ負荷電流のバラツキの影響を受けることなく定電圧を供給可能な電源供給装置を提供することができる。
【００５０】
また本発明は、
３．
１．に記載の
請求項１に記載の電源供給装置において、
前記負荷が、前記レギュレータの出力端子を天絡から保護する保護素子（例えば、保護素子１１７）である、
ことを特徴とする電源供給装置、としたので、
・前記レギュレータの出力端子を天絡から保護することができ、且つ負荷電流のバラツキの影響を受けることなく定電圧を供給可能な電源供給装置を提供することができる。
【００５１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５２】
１００…電源供給装置、１０１…ＬＮＡ内蔵ＧＰＳアンテナ、１０２…電源、１０３…フィードバック型レギュレータ、１０４…抵抗器（Ｒ１）、１０５…抵抗器（Ｒ２）、１０６…出力端子、１０７…フィードバック入力、１０８…低抵抗器（Ｒ３）、１０９…電圧検出回路、１１０ａ…接点、１１０ｂ…接点、１１０ｃ…接点、１１０ｄ…接点、１１１…接続端子、１１２…接続端子、１１３…供給電流、１１４…ＬＮＡ、１１５…外部装置、１１６…負荷抵抗器（Ｒｘ）、１１７…保護素子。
【図１】
2018049404.tif 000003
【図２】
2018049404.tif 000004
【図３】
2018049404.tif 000005
【図４】
2018049404.tif 000006